(57)【特許請求の範囲】
【請求項１】
外部から電力を受ける受電手段と、
前記受電された電力の少なくとも一部を充電し、該充電した電力を負荷に供給する充電手段と、
前記充電手段から電力が供給され、送信電力を変化可能な無線通信手段と、
前記無線通信手段の送信電力を検出する送信電力検出手段と、
前記検出された送信電力に基づいて、前記充電手段を充電する時間が異なる複数の充電モードのいずれかに切り換える制御手段と、を備え、
前記複数の充電モードは、充電しない充電オフモード、充電期間と非充電期間とを繰り返す間欠充電モードと、連続して充電する連続充電モードとを含み、
前記制御手段は、前記検出された送信電力が第１のレベルならば充電オフモードに切り換え、前記検出された送信電力が第１のレベルよりも送信電力の小さい第２のレベルならば間欠充電モードに切り換え、前記検出された送信電力が前記第２のレベルよりも送信電力の小さい第３のレベルならば連続充電モードに切り換える充電モード切換手段を含み、
前記充電モード切換手段は、前記無線通信手段が予め定められた連絡先と通信している間、前記充電オフモードまたは前記間欠充電モードの場合、前記充電手段の出力電圧が所定の値以下になると前記連続充電モードに切り換える強制切換手段を含む携帯通信端末。
【請求項２】
携帯通信端末で実行される充電モード切換方法であって、
前記携帯通信端末は、
外部から電力を受ける受電手段と、
前記受電された電力の少なくとも一部を充電し、該充電した電力を負荷に供給する充電手段と、
前記充電手段から電力が供給され、送信電力を変化可能な無線通信手段と、
前記無線通信手段の送信電力を検出する送信電力検出手段と、
前記検出された送信電力に基づいて、前記充電手段を充電する時間が異なる複数の充電モードのいずれかに切り換える制御手段と、を備え、
前記複数の充電モードは、充電しない充電オフモード、充電期間と非充電期間とを繰り返す間欠充電モードと、連続して充電する連続充電モードとを含み、
前記制御手段が、前記検出された送信電力が第１のレベルならば充電オフモードに切り換え、前記検出された送信電力が第１のレベルよりも送信電力の小さい第２のレベルならば間欠充電モードに切り換え、前記検出された送信電力が前記第２のレベルよりも送信電
力の小さい第３のレベルならば連続充電モードに切り換える充電モード切換ステップと、
前記充電モード切換手段が、前記無線通信手段が予め定められた連絡先と通信している間、前記充電オフモードまたは前記間欠充電モードの場合、前記充電手段の出力電圧が所定の値以下になると前記連続充電モードに切り換える強制切換ステップとを含む充電モード切換方法。
【請求項３】
携帯通信端末を制御するコンピュータで実行される充電モード切換プログラムであって、
前記携帯通信端末は、
外部から電力を受ける受電手段と、
前記受電された電力の少なくとも一部を充電し、該充電した電力を負荷に供給する充電手段と、
前記充電手段から電力が供給され、送信電力を変化可能な無線通信手段と、
前記無線通信手段の送信電力を検出する送信電力検出手段と、
前記検出された送信電力に基づいて、前記充電手段を充電する時間が異なる複数の充電モードのいずれかに切り換える制御手段と、を備え、
前記複数の充電モードは、充電しない充電オフモード、充電期間と非充電期間とを繰り返す間欠充電モードと、連続して充電する連続充電モードとを含み、
前記検出された送信電力が第１のレベルならば充電オフモードに切り換え、前記検出された送信電力が第１のレベルよりも送信電力の小さい第２のレベルならば間欠充電モードに切り換え、前記検出された送信電力が前記第２のレベルよりも送信電力の小さい第３のレベルならば連続充電モードに切り換える充電モード切換ステップと、
前記無線通信手段が予め定められた連絡先と通信している間、前記充電オフモードまたは前記間欠充電モードの場合、前記充電手段の出力電圧が所定の値以下になると前記連続充電モードに切り換える強制切換ステップとを、前記コンピュータに実行させる充電モード切換プログラム。
【発明の詳細な説明】
【技術分野】
【０００１】
この発明は、携帯通信端末に関し、特に二次電池から電力を受けて駆動する携帯通信端末に関する。
【背景技術】
【０００２】
携帯電話機で代表される携帯通信端末は、無線基地局と無線通信すると無線回路が発熱する。一方、携帯電話機は、駆動源にリチウムイオン電池やニッケル水素電池等の二次電池が用いられるため、二次電池を充電する必要があるが、充電中に二次電池が発熱する。このため、二次電池を充電しながら無線通信をすると、２つの熱源が発熱して高温になる場合があるといった問題がある。
【０００３】
この問題に対応する技術として、電池に充電を行いながら、送信回路を送信状態にした場合には、充電電流を送信回路が送信状態に無い場合の充電電流よりも小さく設定、あるいは充電を停止する移動体通信機が、特開２００５−４５６６９号公報（特許文献１）に記載されている。
【０００４】
しかしながら、ＣＤＭＡ（Ｃｏｄｅ Ｄｉｖｉｓｉｏｎ Ｍｕｌｔｉｐｌｅ Ａｃｃｅｓｓ）方式等の携帯電話機の無線回路は、送信電力を可変であり、無線基地局からの距離が遠い程、強い送信電力で電波を出力する。送信電力が強い程発熱量が多く、送信電力が弱い程発熱量が少ない。このため、送信電力が弱い場合は無線回路の温度がそれほど上昇しないので、二次電池の発熱量を抑える必要がない場合がある。また、二次電池を充電する時間をできるだけ長くして、通話時間を長くすることが望まれる。
【特許文献１】特開２００５−４５６６９号公報
【発明の開示】
【発明が解決しようとする課題】
【０００５】
この発明は上述した問題点を解決するためになされたもので、この発明の目的の一つは、発熱量が高くなりすぎるのを防止するとともに通話時間を延ばすことが可能な携帯通信端末を提供することである。
【課題を解決するための手段】
【０００６】
上述した目的を達成するためにこの発明のある局面によれば、携帯通信端末は、外部から電力を受ける受電手段と、受電された電力の少なくとも一部を充電し、該充電した電力を負荷に供給する充電手段と、充電手段から電力が供給され、送信電力を変化可能な無線通信手段と、無線通信手段の送信電力を検出する送信電力検出手段と、検出された送信電力に基づいて、充電手段を充電する時間が異なる複数の充電モードのいずれかに切り換える制御手段と、を備える。
【０００７】
この局面に従えば、送信電力を変化可能な無線通信手段は、送信電力が大きいほど発熱量が大きくなるが、送信電力に基づいて、充電手段を充電する時間を異ならせるので、蓄電手段の発熱量が制限される。その結果、発熱量が高くなりすぎるのを防止するとともに通話時間を延ばすことが可能な携帯通信端末を提供することができる。
【０００８】
好ましくは、複数の充電モードは、充電しない充電オフモード、充電期間と非充電期間とを繰り返す間欠充電モードと、連続して充電する連続充電モードとを含み、制御手段は、検出された送信電力が第１のレベルならば充電オフモードに切り換え、検出された送信電力が第１のレベルよりも送信電力の小さい第２のレベルならば間欠充電モードに切り換え、検出された送信電力が第２のレベルよりも送信電力の小さい第３のレベルならば連続充電モードに切り換える充電モード切換手段を含む。
【０００９】
好ましくは、充電モード切換手段は、充電オフモードまたは間欠充電モードの場合、無線通信手段が能動化されてから所定の期間が経過するまでに、充電手段の出力電圧が所定の値以下になると、所定の期間が経過するまで連続充電モードに切り換える強制切換手段を含む。
【００１０】
この局面に従えば、少なくとも所定の期間の通話時間を確保することができる。
【００１１】
好ましくは、充電モード切換手段は、無線通信手段が予め定められた連絡先と通信している間、充電オフモードまたは間欠充電モードの場合、充電手段の出力電圧が所定の値以下になると連続充電モードに切り換える強制切換手段を含む。
【００１２】
この局面に従えば、予め定められた連絡先と通信する通話時間を確保することができる。
【発明を実施するための最良の形態】
【００１３】
以下、本発明の実施の形態について図面を参照して説明する。以下の説明では同一の部品には同一の符号を付してある。それらの名称および機能も同じである。したがってそれらについての詳細な説明は繰返さない。
【００１４】
図１は、本発明の実施の形態の一つにおける携帯電話機の外観を示す斜視図である。図１を参照して、携帯電話機１は、操作側部３と、表示側部２とを含む。操作側部３の内側面には、テンキーおよび通話キー等の操作キー１４と、マイク１３とが配置され、内側面に反対の外側面にはカメラ２４（図２参照）が配置される。表示側部２の内側面には、液晶表示装置（ＬＣＤ）１６と、レシーバとしての第１スピーカ１１とが配置される。また、表示側部２の側面には、第２スピーカ１２が配置される。なお、ここでは携帯電話機１がＬＣＤ１６を備える例を示すが、ＬＣＤ１６に代えて、有機ＥＬ（ＥｌｅｃｔｒｏＬｕｍｉｎｅｓｃｅｎｃｅ）ディスプレイを用いてもよい。操作側部３と表示側部２とは、ヒンジ機構で回転可能に連結され、操作側部３と表示側部２とは開閉自在である。
【００１５】
図２は、本実施の形態における携帯電話機の機能の一例を示す機能ブロック図である。図２を参照して、携帯電話機１は、携帯電話機１の全体を制御するための制御部２１と、アンテナ２２Ａと接続された無線回路２２と、音声データを処理するためのコーデック部２８と、それぞれがコーデック部２８に接続されたマイク１３、第１スピーカ１１および第２スピーカ１２と、カメラ２４と、ユーザの操作の入力を受付ける操作部２５と、ＬＣＤ１６の表示を制御するための表示制御部３０と、制御部２１で実行するプログラム等を記憶するためのＲＯＭ（Ｒｅａｄ Ｏｎｌｙ Ｍｅｍｏｒｙ）３１と、制御部２１の作業領域として使用されるＲＡＭ（Ｒａｎｄｏｍ Ａｃｃｅｓｓ Ｍｅｍｏｒｙ）３２と、プログラムが参照するデータ等を不揮発的に記憶するＥＥＰＲＯＭ（Ｅｌｅｃｔｒｏｎｉｃａｌｌｙ Ｅｒａｓａｂｌｅ ａｎｄ Ｐｒｏｇｒａｍｍａｂｌｅ ＲＯＭ）３３と、振動部２６と、カードインターフェース（Ｉ／Ｆ）２７と、電源制御部３５とを含む。
【００１６】
本実施の形態では、制御部２１が実行するプログラム等を記憶するため、および、プログラムが参照するデータ等を不揮発的に記憶するために、ＲＯＭ３１およびＥＥＰＲＯＭ３３と備える構成としているが、これらのメモリをフラッシュＲＯＭで代替し、プログラムとプログラムが参照するデータ等をそれぞれフラッシュＲＯＭ内の決められた領域に分けて記憶するようにしてもよい。
【００１７】
無線回路２２は、制御部２１により制御され、無線基地局と通信する。具体的には、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして第１スピーカ１１または第２スピーカ１２に出力する。また、コーデック部２８は、マイク１３からアナログの音声信号が入力され、音声信号をデジタルに変換し、符号化し、そして符号化した音声信号を無線回路２２に出力する。
【００１８】
また、無線回路２２は、送信電力を変化可能である。無線基地局から制御信号を受信し、その制御信号に含まれる送信パワーレベルを制御部２１に出力するとともに、送信パワーレベルに対応する送信電力で無線信号を出力する。無線回路２２は、送信電力が強いほど発熱量が大きい。ここでは、説明のため送信パワーレベルを強、中、弱の３レベルとして説明する。なお、送信パワーレベルは、３レベルに限定されることなく、複数のレベルであればよい。送信パワーレベルが強の場合、無線回路２２の発熱量が最も大きく、送信パワーレベルが弱の場合、無線回路２２の発熱量が最も少ない。送信パワーレベルが中の場合、無線回路２２の発熱量は送信パワーレベルが強の場合より少なく、送信パワーレベルが弱の場合より多い。なお。ここでは、無線回路２２の送信電力を定めるために用いる送信パワーレベルと、制御部２１が充電モードを切り換えるために用いる送信パワーレベルとが同じ例を説明するが、それらを異ならせるようにしてもよい。例えば、充電モードを切り換えるために用いる送信パワーレベルのレベル数を少なくして、１つの送信パワーレベルが無線回路２２の送信電力を定めるために用いる送信パワーレベルの複数を含むようにしてもよい。
【００１９】
なお、送信パワーレベルを無線基地局から受信する例を説明したが、送信パワーレベルを携帯電話機１側で決定する場合もある。この場合、無線回路２２は、無線基地局が送信する電波の電界強度を検出し、制御部２１に出力する。制御部２１は、電界強度に基づき送信パワーレベルを決定する。ＥＥＰＲＯＭ３３に、電界強度と送信パワーレベルとを対応させたテーブルを記憶するようにしておき、検出した電界強度に対応する送信パワーレベルに決定する。無線回路２２は、制御部２１が決定した送信パワーレベルに対応する送信電力で無線信号を出力する。電界強度と送信パワーレベルとを対応させたテーブルは、大きな電界強度に送信パワーレベルを弱に対応させ、小さな電界強度に送信パワーレベルを強に対応させ、中間の電界強度に送信パワーレベルを中に対応させる。テーブルをＥＥＰＲＯＭ３３に記憶するようにすれば、テーブルを後に書き換えることができる。このため、例えば、寒冷地で用いられる携帯電話機１と、温暖地で用いられる携帯電話機１とで異なるテーブルをＥＥＰＲＯＭ３３に記憶するようにすることができる。また、温感は個人差があるため、ユーザがＥＥＰＲＯＭ３３に記憶されたテーブルを書き換えることができるようにしてもよい。また、ユーザが「充電優先モード」や「温度優先モード」といった充電モードを設定できるようにし、電界強度と送信パワーレベルとを対応させた２つのテーブルを「充電優先モード」と「温度優先モード」それぞれに対応させて予め記憶しておくことで、ユーザが設定した充電モードに応じて送信パワーレベルを決定するために用いるテーブルを切り換えるようにしてもよい。
【００２０】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００２１】
カードＩ／Ｆ２７には、着脱可能なフラッシュメモリカード２７Ａが装着される。制御部２１は、カードＩ／Ｆ２７を介して、フラッシュメモリカード２７Ａにアクセスが可能である。なお、ここでは制御部２１で実行するための充電モード切換プログラムをＲＯＭ３１に記憶しておく例を説明するが、充電モード切換プログラムをフラッシュメモリカード２７Ａに記憶しておき、フラッシュメモリカード２７Ａから充電モード切換プログラムを読み出して、制御部２１で実行するようにしてもよい。充電モード切換プログラムを記憶する記録媒体としては、フラッシュメモリカード２７Ａに限らず、フレキシブルディスク、カセットテープ、光ディスク（ＣＤ−ＲＯＭ（Ｃｏｍｐａｃｔ Ｄｉｓｃ−ＲＯＭ）／ＭＯ（Ｍａｇｎｅｔｉｃ Ｏｐｔｉｃａｌ Ｄｉｓｃ）／ＭＤ（Ｍｉｎｉ Ｄｉｓｃ）／ＤＶＤ（Ｄｉｇｉｔａｌ Ｖｅｒｓａｔｉｌｅ Ｄｉｓｃ））、ＩＣカード（メモリカードを含む）、光カード、マスクＲＯＭ、ＥＰＲＯＭ、ＥＥＰＲＯＭなどの半導体メモリ等でもよい。また、携帯電話機１をインターネットに無線回路２２を介して接続し、インターネットに接続されたコンピュータからプログラムをダウンロードして、制御部２１で実行するようにしてもよい。ここでいうプログラムは、制御部２１により直接実行可能なプログラムだけでなく、ソースプログラム、圧縮処理されたプログラム、暗号化されたプログラム等を含む。
【００２２】
カメラ２４は、レンズおよびＣＭＯＳ(Ｃｏｍｐｌｅｍｅｎｔａｒｙ Ｍｅｔａｌ Ｏｘｉｄｅ Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、光電変換した画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１６に表示させる、または、圧縮符号化方式で静止画データまたは動画データを符号化して、ＥＥＰＲＯＭ３４またはカードＩ／Ｆ２７に装着されたフラッシュメモリカード２７Ａに記憶する。
【００２３】
操作部２５は、操作キー１４と、ランプ２５Ａとを含む。操作キー１４は、ユーザによる操作の入力を受け付け、受け付けた操作を制御部２１に出力する。ランプ２５Ａは、制御部２１により制御されて発光する。
【００２４】
電源制御部３５は、外部電源４５が接続される外部電源端子４３と、携帯電話機１の各負荷に電力を供給するための二次電池４１と、二次電池４１と外部電源端子４３との間に設けられた充電回路４２と、電圧検出部４４とを含む。外部電源４５は、商用電源に接続されたＡ／Ｃアダプタである。二次電池４１は、ニッカド電池、ニッケル水素電池またはリチウムポリマ電池等である。充電回路４２は、制御部２１により制御され、外部電源端子４３が外部電源４５から受電した電力を、二次電池４１に出力するオン状態と、二次電池４１に出力しないオフ状態とを切り換える。電圧検出部４４は、二次電池４１の出力電圧を検出し、検出した出力電圧を制御部２１に出力する。
【００２５】
図３は、制御部の機能の概要を示す機能ブロック図である。図３を参照して、制御部２１は、送信パワー検出部５３と、充電容量検出部５５と、充電モード切換部５１とを含む。送信パワー検出部５３は、無線回路２２から送信パワーレベルが入力され、入力された送信パワーレベルを充電モード切換部５１に出力するとともに、無線回路２２に送信パワーレベルで無線通信させる。充電容量検出部５５は、電圧検出部４４から二次電池４１の出力電圧が入力される。充電容量検出部５５は、入力される二次電池４１の出力電圧から二次電池４１が蓄電する電力の残容量を算出する。二次電池４１の残容量が予め定めた所定の値を下回ると（ローバッテリ状態）と、二次電池４１の残容量が低下したことを示すローバッテリ信号を充電モード切換部５１に出力する。なお、二次電池４１の残容量と出力電圧とは所定の関係があるため、実際には充電容量検出部５５は、残容量を算出することなく、二次電池４１の出力電圧を予め定めたしきい値と比較し、出力電圧がしきい値以下になると、ローバッテリ信号を充電モード切換部５１に出力する。
【００２６】
充電モード切換部５１は、送信パワー検出部５３から入力される送信パワーレベルと、充電容量検出部５５から入力される二次電池４１の出力電圧とから、二次電池４１を充電するための充電モードを決定し、決定した充電モードで充電回路４２を制御する。充電モードは、二次電池に連続して電圧を印加する連続充電モードと、二次電池に不連続で電圧を印加する間欠充電モードと、二次電池に電圧を印加しない充電オフモードとを含む。
【００２７】
ここで、無線回路２２の送信パワーレベル別の発熱について説明する。図４は、無線回路２２の送信パワーレベル別の温度変化の一例を示す図である。送信パワーレベルが強の場合の温度変化を実線Ｈで示す。無線回路２２は、時間の経過とともに温度Ｃ１まで上昇する。送信パワーレベルが中の場合の温度変化を一転鎖線Ｍで示す。無線回路２２は、時間の経過とともに温度Ｃ２まで上昇する。温度Ｃ２は、温度Ｃ１よりも低い。送信パワーレベルが中の場合の温度変化を点線Ｌで示す。無線回路２２は、時間の経過とともに温度Ｃ３まで上昇する。温度Ｃ３は、温度Ｃ２よりも低い。ここで、人が携帯電話機１を使用した状態で、携帯電話機１を熱く感じて不快に思う温度をＬＣとすると、温度Ｃ１は、温度ＬＣに近い。このため、二次電池４１が充電され、発熱するすると、携帯電話機１が温度ＬＣにまで上昇してしまう。
【００２８】
図３に戻って、充電モード切換部５１は、外部電源端子４３両端の電圧を検出することにより、外部電源端子４３に外部電源４５が接続されているか否かを検出する。充電モード切換部５１は、外部電源端子４３に外部電源４５が接続されている場合、無線回路２２から強の送信パワーレベルが入力されると、充電オフモードに切り換える。充電モード切換部５１は、充電オフモードにおいては、充電回路４２をオフ状態に切り換える。無線回路２２が強の送信レベルで無線通信しているので、無線回路の温度がＣ１まで上昇する。この状態で二次電池４１を連続充電すると、携帯電話機１が温度ＬＣを超えてしまうので、二次電池４１を充電しないようにして、ユーザが熱く感じて不快に思うのを防止する。
【００２９】
図５は、携帯電話機１の温度変化の一例を示す第１の図である。図５は、二次電池を連続充電モードで充電し、かつ送信パワーレベル中で無電回路を駆動したときの携帯電話機１の温度変化を示す。図５を参照して、携帯電話機１の温度変化を線Ｍ１で示し、無線回路２２の温度変化を点線Ｍで示す。携帯電話機１の温度は無線回路２２の温度以上であり、さらに、時間が経過した期間では温度ＬＣより高くなる。このため、無電回路２２が送信パワーレベル中で無線通信している間は、二次電池４１を連続充電モードで充電すると、携帯電話機１が温度ＬＣに達し、ユーザが携帯電話機１を熱く感じて不快に思うことになる。
【００３０】
そこで、充電モード切換部５１は、外部電源端子４３に外部電源４５が接続されている場合、無線回路２２から中の送信パワーレベルが入力されると、間欠充電モードに切り換える。充電モード切換部５１は、間欠充電モードにおいては、充電回路４２を第１の期間ＴＣ１の間オン状態に切り換え、次の第２の期間ＴＣ２の間オフ状態に切り換えるサイクルを繰り返す。間欠充電モードにおいては、二次電池４１は、充電と放電とを繰り返すので、充電オフモードの場合に比較して、通話可能な時間を長くすることができる。
【００３１】
図６は、充電回路４２の出力電圧の一例を示す図である。図６を参照して、間欠充電モードの１サイクルにおいて、最初の第１の期間ＴＣ１は、電圧Ｖを二次電池４１に印加し、次の第２の期間ＴＣ２は、二次電池４１に電圧を印加しない。このため、二次電池４１は、外部電源４５から電力が第１の期間ＴＣ１の間印加され、二次電池４１が充電されて温度上昇するが、次の第２の期間ＴＣ２の間電力が供給されないので、二次電池４１の温度が下降する。このため、間欠充電モードにおいては、二次電池４１は連続充電において上昇する温度まで上昇しない。充電モード切換部５１は、間欠充電モードにおいては、少なくとも１サイクルを実行する。このため、間欠充電モードで、１サイクル中に充電モードを他のモードに切り換えない。
【００３２】
図７は、携帯電話機１の温度変化の一例を示す第２の図である。図７は、二次電池４１を間欠充電モードで充電し、かつ送信パワーレベル中で無電回路２２を駆動したときの携帯電話機１の温度変化を示す。図７を参照して、携帯電話機１の温度変化を線Ｍ２で示し、無線回路２２の温度変化を点線Ｍで示す。携帯電話機１の温度は無線回路２２の温度より高いが、温度ＬＣよりは低い。このため、無電回路２２が送信パワーレベル中で無線通信している間は、二次電池４１を間欠充電モードで充電したとしても、温度ＬＣに達しないため、人が携帯電話機１を使用した状態で、携帯電話機１を熱く感じて不快に思うことはない。
【００３３】
充電モード切換部５１は、外部電源端子４３に外部電源４５が接続されている場合、無線回路２２から弱の送信パワーレベルが入力されると、連続充電モードに切り換える。無線回路２２が弱の送信パワーレベルで無線通信している場合、無線回路２２の発熱量は、中以上の送信パワーレベルの場合に比較して少ない。このため、充電中の二次電池４１が発熱しても、携帯電話機１全体での温度上昇は比較的低く、ユーザが携帯電話機１を熱く感じて不快に思うことがない。さらに、連続充電モードにおいては、二次電池が充電されるため、通話可能な状態が維持される。
【００３４】
図８は、携帯電話機１の温度変化の一例を示す第３の図である。図８は、二次電池４１を連続充電モードで充電し、かつ送信パワーレベル弱で無電回路を駆動したときの携帯電話機１の温度変化を示す。図８を参照して、携帯電話機１の温度変化を線Ｌ１で示し、無線回路２２の温度変化を点線Ｌで示す。携帯電話機１の温度は、無線回路２２の温度以上であるが、温度ＬＣを超えることはない。このため、無電回路２２が送信パワーレベル弱で無線通信している間は、二次電池４１を連続充電モードで充電したとしても、温度ＬＣには達しないため、人が携帯電話機１を使用した状態で、携帯電話機１を熱く感じて不快に思うことはない。
【００３５】
充電モード切換部５１は、外部電源端子４３に外部電源４５が接続されている場合、無線回路２２から送信パワーレベルが入力されなければ無線回路２２が能動化していないと判断し、連続充電モードに切り換える。無線回路２２が能動化していないので、携帯電話機１をユーザが携帯していない状態である可能性が高く、二次電池４１が発熱してもユーザが熱く感じることがないからである。
【００３６】
さらに、充電モード切換部５１は、無線回路２２が送信を開始した時、換言すれば、通話が開始した時からの経過時間を計時しており、充電オフモードまたは間欠充電モードにおいて、通話が開始されてから所定時間が経過する前に、充電容量検出部５５からローバッテリ信号が入力されると、連続充電モードに強制的に切り換える。充電オフモードでは、二次電池４１が充電されることなく放電のみが行われるので、二次電池４１の蓄電容量が減少する。間欠充電モードでは、充電する電力よりも放電する電力の方が大きくなる場合に、二次電池の蓄電容量が減少する。二次電池４１の蓄電容量がローバッテリ状態よりも減少すると、無線回路２２が駆動できなくなるが、連続充電モードに切り換えることにより、無線回路２２が継続して駆動できるようにすることができる。
【００３７】
さらに、充電モード切換部５１は、緊急モードの場合、充電容量検出部５５からローバッテリ信号が入力されると、連続充電モードに強制的に切り換える。
緊急モードは、無線回路２２が、緊急連絡先として予めＥＥＰＲＯＭ３３に記憶されている電話番号が割当てられた電話機との間で回線を確立した場合である。
二次電池４１の蓄電容量がローバッテリ状態よりも減少すると、無線回路２２が駆動できなくなるが、連続充電モードに切り換えることにより、無線回路２２が継続して駆動し、緊急連絡先との間で確立された回線が切断されないようにすることができる。
ここで言う緊急連絡先とは、日本なら警察（１１０番）や救急・消防（１１９）、米国なら緊急電話番号（Ｅｍｅｒｇｅｎｃｙ  Ｎｕｍｂｅｒ、９１１）として、予め決められた連絡先としてもよいし、ユーザが緊急連絡先（例えば、掛かりつけの病院の電話番号や大事な取引先といった通話を確実に行いたい連絡先）として設定した連絡先でも良い。
【００３８】
図９は、二次電池の出力電圧の変化の一例を示す第１の図である。図９は、充電オフモードで二次電池４１を充電することなく、送信パワーレベル強で無線回路２２が駆動を開始してから所定時間Ｔ１が経過する前の時刻ｔ１に、二次電池４１がローバッテリ状態となった場合の二次電池４１の出力電圧を示す。二次電池４１は、時刻ｔ１まで無線回路２２に電力を供給する、蓄電容量が減少するに従って出力電圧が低下し、時刻ｔ１でローバッテリ状態となる。その後、通話を開始してから所定期間Ｔ１が経過するまで連続充電モードで二次電池４１が充電されるため、蓄電容量が増加するに従って出力電圧が上昇する。所定期間Ｔ１が経過したのちは、充電オフモードとなるため、二次電池４１は、無線回路２２に電力を供給するので、蓄電容量が減少するに従って出力電圧が低下する。このため、二次電池４１は、通話を開始してから少なくとも所定期間Ｔ１の間は、無線回路２２に電力を供給することができるので、無線回路２２を少なくとも所定期間の間は駆動させることができる。
【００３９】
図１０は、携帯電話機の温度変化を示す第４の図である。図１０は、充電オフモードで二次電池４１を充電することなく、送信パワーレベル強で無線回路２２が駆動を開始し、その後所定時間Ｔ１が経過する前の時刻ｔ１に、二次電池４１がローバッテリ状態となった場合の携帯電話機１の温度変化を実線Ｈ２で示す。通話が開始されて無線回路２２が駆動を開始してから時刻ｔ１までは、図４に実線Ｈで示した携帯電話機１の温度変化と同じである。時刻ｔ１以降、二次電池４１が連続充電モードで充電されるため、二次電池４１が発熱する熱で携帯電話機１の温度が上昇する。なお、図１０では、携帯電話機１の温度が、温度ＬＣを超えないように、所定期間Ｔ１が設定される例を示すが、携帯電話機１の温度が、温度ＬＣを超えてもよい。携帯電話機１の温度が、温度ＬＣを超えないように所定期間Ｔ１を定めるのが好ましい。
【００４０】
図１１は、充電モード切換処理の流れの一例を示すフローチャートである。充電モード切換処理は、制御部２１がＲＯＭ３１に記憶された充電モード切換プログラムを実行することにより、制御部２１により実行される処理である。図１１を参照して、制御部２１は、外部電源４５が接続されているか否かを判断する（ステップＳ０１）。外部電源端子４３両端に所定の電圧を検出すれば、外部電源４５が外部電源端子４３に接続されていると判断し、処理をステップＳ０２に進めるが、そうでなければ処理を終了する。すなわち、通話中充電モード切換処理は、携帯電話機１が外部電源４５から電力の供給を受ける状態で実行される処理である。
【００４１】
ステップＳ０２においては、二次電池４１の出力電圧を検出する。そして、出力電圧から二次電池４１が満充電状態か否かを判断する（ステップＳ０３）。二次電池４１が満充電状態のときの出力電圧をしきい値として予め記憶しておき、そのしきい値とステップＳ０２で検出した出力電圧と比較する。ステップＳ０２で検出した出力電圧がしきい値よりも高ければ、二次電池４１が満充電状態と判断し、処理をステップＳ１６に進め、そうでなければ処理をステップＳ０４に進める。ステップＳ１６においては、充電オフモードに切り換え、処理をステップＳ０１に戻す。二次電池４１が満充電状態でれば充電する必要はないからである。
【００４２】
ステップＳ０４においては、通話中か否かを判断する。無線回路２２が無線基地局との間で回線を確立していれば通話中であると判断し、そうでなければ通話中でないと判断する。通話中であれば処理をステップＳ０５に進め、通話中でなければ処理をステップＳ１５に進める。ステップＳ１５においては、連続充電モードに切り換え、処理をステップＳ０１に戻す。通話中でなければ無線回路２２は発熱しないので、二次電池４１を充電しても携帯電話機１が温度ＬＣまで上昇しないからである。
【００４３】
ステップＳ０５においては、無線回路２２の送信パワーレベルを検出する。送信パワーレベルを検出する処理については、後述するが、基地局から受信した制御信号に含まれる送信パワーレベルを検出する。そして、ステップＳ０６においては、無線回路２２の送信パワーレベルによって処理を分岐する。送信パワーレベルが強であれば処理をステップＳ０７に進め、中であれば処理をステップＳ０８に進め、弱であれば処理をステップＳ１５に進める。すなわち、基地局から受信した制御信号に含まれる送信パワーレベルに基づいて、二次電池４１を充電する充電モードを切り換える。なお、基地局が送信する電波の電界強度に基づいて送信パワーレベルを決定し、その送信パワーレベルに基づいて二次電池４１を充電する充電モードを切り換えるようにしてもよい。処理をステップＳ０６からステップＳ１５に進める場合、送信パワーレベルが弱の場合である。この場合、無線回路２２が発熱して温度Ｃ３まで上昇するが、二次電池４１を連続充電モードで充電してそれが発熱しても、携帯電話機１は、温度ＬＣまで上昇しない。
【００４４】
ステップＳ０７においては、充電オフモードに切り換え、処理をステップＳ１０に進める。送信パワーレベルが強の場合は、無線回路２２が発熱して温度Ｃ１まで上昇するので、二次電池４１を充電しないようにして、携帯電話機１が温度ＬＣまで上昇しないようにするためである。
【００４５】
ステップＳ０８においては、間欠充電モードに切り換え、処理をステップＳ０９に進める。送信パワーレベルが中の場合は、無線回路２２が発熱して温度Ｃ２まで上昇するが、温度ＬＣとの差が比較的大きい。一方、間欠充電モードにおいては、二次電池４１は連続充電モードにおいて到達する温度まで上昇しないので、二次電池４１が間欠充電モードで充電されて発熱しても、携帯電話機１は、温度ＬＣまで上昇しない。さらに、間欠充電モードにおいては、二次電池４１は、充電と放電とを繰り返すので、充電オフモードの場合に比較して、通話可能な時間を長くすることができる。なお、間接充電モードの第１の期間ＴＣ１と第２の期間ＴＣ２の比を充電する電力よりも放電する電力の方が大きくなるように調整すれば、二次電池４１がローバッテリ状態にならないので、通話が中断することがない。
【００４６】
ステップＳ０９においては、間欠充電モードの１サイクルが終了したか否かを判断する。１サイクルが終了したならば処理をステップＳ１０に進め、終了しなければ処理をステップＳ０８に戻す。間欠充電モードを、少なくとも１サイクル継続することにより、送信パワーレベルが強と中との間、または中と弱との間で頻繁に変化する場合に、充電モードがそれに伴い変化するのを防止することができる。これにより、充電回路４２によるオン状態とオフ状態との切り換え回数を少なくすることができる。
【００４７】
ステップＳ１０においては、ステップＳ０２と同様に、二次電池４１の出力電圧を検出する。そして、検出した出力電圧から二次電池４１がローバッテリ状態であるか否かを判断する（ステップＳ１１）。電圧検出部４４からローバッテリ信号を受信したならば二次電池４１がローバッテリ状態であると判断する。ローバッテリ状態であれば処理をステップＳ１２に進め、そうでなければ処理をステップＳ０１に戻す。ステップＳ１２においては、通話を開始してから経過した時間が所定時間Ｔ１を超えたか否かを判断する。通話を開始してから所定時間Ｔ１を経過していなければ処理をステップＳ１３に進め、所定時間経過していれば処理をステップＳ１４に進める。ステップＳ１３においては、連続充電モードに切り換え、処理をステップＳ１２に戻す。通話を開始してから所定時間Ｔ１が経過していなければ、二次電池４１がローバッテリ状態となってから所定時間Ｔ１になるまで通常充電モードで二次電池４１が充電される。このため、通話を開始してから少なくとも所定時間Ｔ１が経過するまでは、通話を切断することなく継続させることができる。
【００４８】
ステップＳ１４においては、緊急モードが否かを判断する。緊急モードは、例えば、緊急連絡先として予めＥＥＰＲＯＭ３３に記憶されている電話番号が割当てられた電話機との間で回線が接続されて場合である。緊急モードであれば処理をステップＳ１５に進め、緊急モードでなければ処理をステップＳ０１に戻す。緊急モードの場合に、連続充電モードに切り換えるので、二次電池４１がローバッテリ状態となって、回線が途中で切断され通話が中断するのを防止することができる。
【００４９】
なお、連続充電モードおよび間欠充電モードのいずれの場合であっても、満充電状態となった場合には（ステップＳ０３でＹＥＳ）、充電オフモードに切り換えられるので、二次電池４１は充電されない。
【００５０】
図１２は、パワーレベル検出処理の流れの一例を示す別のフローチャートである。パワーレベル検出は、図１１のステップＳ０５において実行される処理である。図１３を参照して、制御部２１は、無線回路２２が無線基地局から受信した送信パワーレベルを受け付ける（ステップＳ２１）。そして、受け付けた送信パワーレベルで無線回路２２を駆動させる（ステップＳ２２）。
【００５１】
図１３は、パワーレベル検出処理の流れの一例を示すフローチャートである。パワーレベル検出処理は、図１１のステップＳ０５において実行される処理である。図１２を参照して、制御部２１は、無線回路２２から、無線回路２２が無線基地局から受信した電波の電界強度を受け付ける（ステップＳ３１）。そして、受け付けた電界強度に応じた送信パワーレベルを決定し（ステップＳ３２）、無線回路２２を決定した送信パワーレベルで駆動させる（ステップＳ３３）。
【００５２】
なお、ステップＳ１４において、ローバッテリ状態が検出されてからの経過時間を計時するようにし、ローバッテリ状態が検出されてから所定時間の間連続充電モードに切り換えるようにしてもよい。
＜変形例＞
上述した実施の形態においては、充電オフモードまたは間欠充電モードにおいて、二次電池４１のローバッテリ状態が検出されてから連続充電モードに強制的に切り換えるようにして、通話を開始してから少なくとも所定時間Ｔ１の通話を継続するようにした。変形例においては、充電オフモードまたは間欠充電モードに切り換える前の所定時間Ｔ２を連続充電モードに強制的に切り換えるようにしたものである。
【００５３】
図１４は、二次電池の出力電圧の変化の一例を示す第２の図である。図１４は、充電オフモードに切り換える前の所定期間Ｔ２の間、連続充電モードに強制的に切り換えて二次電池４１を充電し、その後充電オフモード切り換えた場合の二次電池４１の出力電圧を示す。二次電池４１は、通話を開始してから所定時間Ｔ２が経過するまで通常充電モードで充電されるので、蓄電容量が徐々に増加し、出力電圧が上昇する。その後、充電オフモードとなるので、放電して蓄電容量が徐々に減少し、出力電圧が下降する。しかしながら、通話を開始してから所定時間Ｔ２が経過するまでに蓄電された電力を無線回路２２に供給することができる。所定時間Ｔ２を、通話を開始してから無線回路２２を所定期間（Ｔ１−Ｔ２）駆動するのに必要な電力を二次電池４１に蓄電するのに必要な時間とすれば、通話を開始してから少なくとも所定期間Ｔ１の間無線回路２２を駆動させることができる。
【００５４】
図１５は、携帯電話機の温度変化を示す第５の図である。図１５は、充電オフモードに切り換える前の所定期間Ｔ２の間、連続充電モードに強制的に切り換えて二次電池４１を充電し、その後充電オフモードに切り換えた場合の携帯電話機１の温度変化を実線Ｈ３で示す。また、二次電池４１を充電することなく無線回路２２を送信パワーレベル強で駆動した場合の携帯電話機１の温度変化を点線Ｈで示す。通話が開始されて無線回路２２が駆動を開始してから所定時間Ｔ２が経過するまでに、二次電池４１が通常充電モードで充電され、二次電池４１が発熱するので、点線Ｈで示した携帯電話機１の温度よりも高くなるが、温度ＬＣよりは低い。また、所定時間Ｔ２経過した後は、二次電池４１は充電されないので、二次電池４１の温度が徐々に低下する。このため、携帯電話機１の温度変化が、二次電池４１を充電することなく無線回路２２を送信パワーレベル強で駆動した場合の携帯電話機１の温度に徐々に近くなる。このように、無線回路２２が温度Ｃ１に達する前の段階で、二次電池４１を充電しておくことにより、携帯電話機１が温度ＬＣを超えるのを避けるとともに、通話を開始してから少なくとも所定時間の間無線回路２２を駆動するための電力を二次電池４１に蓄電することができる。
【００５５】
図１６は、変形例における充電モード切換処理の流れの一例を示すフローチャートである。図１１に示した処理と同じ処理には同じ符号を付してある。以下、図１１に示した充電モード切換処理と異なる点を主に説明する。図１６を参照して、ステップＳ０５で送信パワーレベルを検出した後、ステップＳ０６Ａにおいて、無線回路２２の送信パワーレベルによって処理を分岐する。送信パワーレベルが強であれば処理をステップＳ５１に進め、中であれば処理をステップＳ５３に進め、弱であれば処理をステップＳ１５に進める。ステップＳ５１においては、通話開始からの経過時間が予め定めた所定時間Ｔ２を越えたか否かを判断する。所定時間Ｔ２を越えたならば処理をステップＳ０７に進め、そうでなければ処理をステップＳ５２に進める。ステップＳ５２においては、連続充電モードに切り換え、処理をステップＳ５１に戻す。ステップＳ０７においては、充電オフモードに切り換え、処理をステップＳ１１に進める。すなわち、通話開始から所定時間Ｔ２までは連続充電モードに切り換え、所定時間Ｔ２が経過した後に充電オフモードに切り換える。
【００５６】
ステップＳ５３においては、通話開始からの経過時間が予め定めた所定時間Ｔ３を越えたか否かを判断する。ステップＳ５１における所定時間Ｔ２は、ステップＳ５３における所定時間Ｔ３よりも長い。充電オフモードでは、二次電池４１を充電しないけれども、間欠受電モードでは、二次電池４１を充電するからである。なお、ステップＳ５１における所定時間Ｔ２と、ステップＳ５３における所定時間Ｔ３とを同じ期間としてもよい。所定時間Ｔ３を越えたならば処理をステップＳ０８に進め、そうでなければ処理をステップＳ５４に進める。ステップＳ５４においては、連続充電モードに切り換え、処理をステップＳ５３に戻す。ステップＳ０８においては、間欠充電モードに切り換え、処理をステップＳ０９に進める。すなわち、通話開始から所定時間Ｔ３までは連続充電モードに切り換え、所定時間Ｔ３が経過した後に間欠充電モードに切り換える。
【００５７】
ステップＳ１１においては、ステップＳ１０において検出した二次電池４１の出力電圧からローバッテリ状態であるか否かを判断する（ステップＳ１１）。ローバッテリ状態であれば処理をステップＳ１４に進め、そうでなければ処理をステップＳ０１に戻す。ステップＳ１４においては、緊急モードが否かを判断する。緊急モードであれば処理をステップＳ１５に進め、緊急モードでなければ処理をステップＳ０１に戻す。緊急モードの場合に、連続充電モードに切り換えるので、二次電池４１がローバッテリ状態となって、回線が途中で切断され通話が中断するのを防止することができる。
【００５８】
以上説明したように、本実施の形態における携帯電話機１は、無線回路２２の送信パワーレベルを検出し（Ｓ０５）、検出した送信パワーレベルに基づいて、二次電池を充電する時間が異なる複数の充電モードのいずれかに切り換える（Ｓ０６，Ｓ０７，Ｓ０８，Ｓ１５）。送信電力を変化可能な無線回路２２は、送信電力が大きいほど発熱量が大きくなるが、送信パワーレベルに基づいて二次電池４１を充電する充電モードを切り換え、充電時間を異ならせるので、二次電池４１の発熱量を制限し、携帯電話機１が温度ＬＣにまで上昇するのを防止するとともに、できるだけ二次電池４１の蓄電容量を多くして、通話時間を長くすることができる。
【００５９】
また、充電オフモードまたは間欠充電モードの場合、通話が開始されてから所定の期間Ｔ１が経過するまでに、二次電池４１がローバッテリ状態になると、所定の期間Ｔが経過するまで連続充電モードに切り換えるので、通話を開始してから少なくとも所定時間Ｔの間通話を継続することができる。また、所定時間Ｔ１を、無線回路２２が温度Ｃ１またはＣ２に到達する前までの時間とすれば、携帯電話機１が温度ＬＣまで上昇するのを防止することができる。
【００６０】
さらに、無線回路２２の送信電力が弱の送信パワーレベルでない場合、通話が開始されてから所定の期間Ｔ２（Ｔ３）が経過するまで連続充電モードに切り換える。このため、無線回路２２の発熱量が最大になる前の段階で二次電池４１を連続充電モードで充電することで、携帯電話機１が上限値である温度ＬＣになるのを回避することができる。また、所定の期間Ｔ２（Ｔ３）を、通話を開始してから所定期間無線回路２２が温度Ｃ１（Ｃ２）に到達する前までの時間とすれば、携帯電話機１が温度ＬＣまで上昇するのを防止することができる。所定時間Ｔ２（Ｔ３）を、通話を開始してから無線回路２２を所定期間（Ｔ１−Ｔ２）（（Ｔ１−Ｔ３））駆動するのに必要な電力を二次電池４１に蓄電するのに必要な時間とすれば、通話を開始してから少なくとも所定期間Ｔ１の間無線回路２２を駆動させることができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６２】
＜付記＞
上述した実施の形態における携帯電話機には、次の発明概念が含まれる。
（１）前記受電手段と前記充電手段との間に設けられ、前記充電手段から前記充電手段に電力を供給するオン状態と電力を供給しないオフ状態とのいずれかに切り換えるための切換手段をさらに備え、
前記制御手段は、前記充電オフモードにおいて前記切換手段をオフ状態に切り換え、前記間欠充電モードにおいて、前記切換手段をオン状態に切り換える第１の期間とオフ状態に切り換える第２の期間とからなるサイクルを繰り返し、前記連続充電モードにおいて前記切換手段をオン状態に切り換える切換制御手段をさらに含む、請求項２に記載の携帯通信端末。この局面に従えば、第１の期間で充電手段が発熱するが、第２の期間で充電手段が放熱するので、充電手段の発熱量を減少させることができる。
（２）前記充電モード切換手段は、前記検出された送信電力が第３のレベルでない場合、前記無線通信手段が能動化されてから所定の期間が経過するまで前記連続充電モードに切り換える強制切換手段を含む、請求項２に記載の携帯通信端末。この局面に従えば、無線通信手段の発熱量が最大になる前の所定期間に充電手段を連続充電モードで充電するので、全体の発熱量を上限値よりも小さくすることができる。また、少なくとも所定の期間の通話時間を確保することができる。
（３）携帯通信端末で実行される充電モード切換方法であって、前記携帯通信端末は、外部から電力を受ける受電手段と、前記受電された電力の少なくとも一部を充電し、該充電した電力を負荷に供給する充電手段と、前記充電手段から電力が供給され、送信電力を変化可能な無線通信手段と、制御手段と、を備え、前記無線通信手段の送信電力を検出するステップと、前記検出された送信電力に基づいて、前記充電手段を充電する時間が異なる複数の充電モードのいずれかに切り換えるステップと、を前記制御手段に実行させる充電モード切換方法。
（４）携帯通信端末で実行される充電モード切換プログラムであって、前記携帯通信端末は、外部から電力を受ける受電手段と、前記受電された電力の少なくとも一部を充電し、該充電した電力を負荷に供給する充電手段と、前記充電手段から電力が供給され、送信電力を変化可能な無線通信手段と、制御手段と、を備え、前記無線通信手段の送信電力を検出するステップと、前記検出された送信電力に基づいて、前記充電手段を充電する時間が異なる複数の充電モードのいずれかに切り換えるステップと、を前記制御手段に実行させる充電モード切換プログラム。
【図面の簡単な説明】
【００６３】
【図１】本発明の実施の形態の一つにおける携帯電話機の外観を示す斜視図である。
【図２】本実施の形態における携帯電話機の機能の一例を示す機能ブロック図である。
【図３】制御部の機能の概要を示す機能ブロック図である。
【図４】無線回路の送信パワーレベル別の温度変化の一例を示す図である。
【図５】携帯電話機の温度変化の一例を示す第１の図である。
【図６】充電回路の出力電圧の一例を示す図である。
【図７】携帯電話機の温度変化の一例を示す第２の図である。
【図８】携帯電話機の温度変化の一例を示す第３の図である。
【図９】二次電池の出力電圧の変化の一例を示す第１の図である。
【図１０】携帯電話機の温度変化を示す第４の図である。
【図１１】充電モード切換処理の流れの一例を示すフローチャートである。
【図１２】パワーレベル検出処理の流れの一例を示すフローチャートである。
【図１３】パワーレベル検出処理の流れの一例を示す別のフローチャートである。
【図１４】二次電池の出力電圧の変化の一例を示す第２の図である。
【図１５】携帯電話機の温度変化を示す第５の図である。
【図１６】変形例における充電モード切換処理の流れの一例を示すフローチャートである。
【符号の説明】
【００６４】
１ 携帯電話機、２ 表示側部、３ 操作側部、１１ 第１スピーカ、１２ 第２スピーカ、１３ マイク、１４ 操作キー、２１ 制御部、２２ 無線回路、２２Ａ アンテナ、２４ カメラ、２５ 操作部、２５Ａ ランプ、２６ 振動部、２７ カードＩ／Ｆ、２７Ａ フラッシュメモリカード、２８ コーデック部、３０ 表示制御部、３１ ＲＯＭ、３２ ＲＡＭ、３３ ＥＥＰＲＯＭ、３５ 電源制御部、４１ 二次電池、４２ 充電回路、４３ 外部電源端子、４４ 電圧検出部、４５ 外部電源、５１ 充電モード切換部、５３ 送信パワー検出部、５５ 充電容量検出部。
【図１】
0005197232.tif 000002
【図２】
0005197232.tif 000003
【図３】
0005197232.tif 000004
【図４】
0005197232.tif 000005
【図５】
0005197232.tif 000006
【図６】
0005197232.tif 000007
【図７】
0005197232.tif 000008
【図８】
0005197232.tif 000009
【図９】
0005197232.tif 000010
【図１０】
0005197232.tif 000011
【図１１】
0005197232.tif 000012
【図１２】
0005197232.tif 000013
【図１３】
0005197232.tif 000014
【図１４】
0005197232.tif 000015
【図１５】
0005197232.tif 000016
【図１６】
0005197232.tif 000017